(57)【要約】      （修正有）【課題】定期券の利用者が定期券を所持していない場合にも、その定期券の機能を利用することを可能とする定期乗車券利用システム、定期乗車券利用方法及び券売装置を提供することである。【解決手段】上記課題を達成するために、実施形態の定期乗車券利用システムは、定期券から施設を利用するための情報を入力し、入力した情報をもとに定期券に施設を利用するための情報を送信し、入力した定期券の情報により施設利用を可能とする処理を行う駅務機器と、定期券の利用者を識別する情報と定期券により駅務機器を利用する情報を受信する手段を有し、受信した情報を関連付けて記憶し、記憶した情報を送信する記憶装置と、記憶装置と接続され識別情報を入力し、入力した識別情報を記憶装置に送信し、記憶装置に記憶されている情報を受信し、受信した情報により駅務機器を利用する情報を定期券とは異なる定期券に書き込み発行及び回収する券売装置３を有する。【選択図】図１
2013101439.tif 000002
【特許請求の範囲】
【請求項１】
定期券から施設を利用するための情報を入力する第１の入力手段と前記第１の入力手段で入力した情報をもとに前記定期券に施設を利用するための情報を送信する第１の送信手段とを有し、
前記第１の入力手段で入力した前記定期券の情報により所定の施設利用を可能とする処理を行う駅務機器と、
前記定期券の利用者を識別する識別情報と前記定期券により前記駅務機器を利用する情報とを受信する第１の受信手段を有し、
前記第１の受信手段で受信した情報を関連付けて記憶する記憶手段と前記関連付けて記憶した情報を送信する第２の送信手段とを有する記憶装置と、
前記記憶装置と接続され、
前記識別情報を入力する第２の入力手段、前記第２の入力手段で入力した前記識別情報を前記記憶装置に送信する第３の送信手段及び前記記憶装置に記憶されている情報を受信する第２の受信手段とを有し、
前記第２の受信手段により受信した情報により前記駅務機器を利用する情報を前記定期券の識別情報とは異なる識別情報が記録されている定期券に書き込み発行する発行手段と前記発行手段により発行した前記定期券を回収する回収手段とを有する券売装置と、
を有する定期乗車券利用システム。
【請求項２】
前記記憶装置は、
前記券売装置から定期券の利用者を識別する識別情報、前記定期券の乗車券の情報、前記定期券の電子的なデータによる決済の情報、前記定期券の識別情報及び定期券の利用を制限する情報を受信する前記第１の受信手段を有し、
前記第１の受信手段で受信した情報を関連付けて記憶する前記記憶手段と、
前記記憶手段に前記関連付けて記憶した情報を前記駅務機器と前記券売装置とに送信する前記第２の送信手段と、
を有する請求項１に記載の定期乗車券利用システム。
【請求項３】
前記記憶装置は、
前記券売装置から識別情報が記録された第１の定期券と前記第１の定期券とは異なる識別情報が記録された第２の定期券との前記乗車券の情報及び前記電子的なデータによる決済の情報の統合を前記定期券の利用を制限する情報により判断する判断手段と、
前記判断手段の判断結果を前記券売装置に送信する第２の送信手段と、
前記判断手段が統合を可と判断したときに前記第１の定期券と前記第２の定期券との前記乗車券の情報及び前記電子的なデータによる決済の情報を統合して記憶する前記記憶手段と、
を有する請求項２に記載の定期乗車券利用システム。
【請求項４】
前記券売装置は、
前記記憶装置と接続され、
前記識別情報を入力する前記第２の入力手段と、
前記第２の入力手段で入力した前記識別情報を前記記憶装置に送信する前記第３の送信手段と、
前記記憶装置に記憶されている情報を受信する前記第２の受信手段と、
前記第１の定期券と前記第２の定期券を回収する前記回収手段と、
前記回収手段で回収した前記第１の定期券と前記第２の定期券との前記乗車券の情報及び前記電子的なデータによる決済の情報を、前記第２の受信手段で受信した前記記憶装置の判断手段の判断結果が統合を可とするときに、前記第１の定期券に書き込み発行する前記発行手段と、
を有する券売装置。
【請求項５】
駅務機器により、
定期券から施設を利用するための情報を第１の入力手段で入力し、
前記第１の入力手段で入力した情報をもとに前記定期券に施設を利用するための情報を第１の送信手段で送信し、
前記第１の入力手段で入力した前記定期券の情報により所定の施設利用を可能とする処理を行い、
記憶装置により、
前記定期券の利用者を識別する識別情報と前記定期券により前記駅務機器を利用する情報とを第１の受信手段で受信し、
前記第１の受信手段で受信した情報を関連付けて記憶手段で記憶し、
前記関連付けて記憶した情報を第２の送信手段で送信し、
券売装置により、
前記識別情報を第２の入力手段で入力し、
前記第２の入力手段で入力した前記識別情報を前記記憶装置に第３の送信手段で送信し、
前記記憶装置に記憶されている情報を第２の受信手段で受信し
前記第２の受信手段により受信した情報により前記駅務機器を利用する情報を前記定期券の識別情報とは異なる識別情報が記録されている定期券に発行手段で書き込み発行し、
前記発行手段により発行した前記定期券を回収手段で回収する定期乗車券利用方法。
【発明の詳細な説明】
【技術分野】
【０００１】
本発明の実施形態は、定期乗車券利用システム、券売装置及び定期乗車券利用方法に関する。
【背景技術】
【０００２】
鉄道、バス等の交通機関を利用するときに、定期券の利用者が定期券を自宅に忘れてきたために定期券を所持していない場合、本人の識別を行い、臨時乗車券を発行する方法がある。
【０００３】
この方法では、臨時乗車券の使用中は元の定期券の使用を禁止する。また、定期券にＳＦカード（ストアードフェアー（ｓｔｏｒｅｄ  ｆａｒｅ）方式カード）として利用可能な入金がされているときは、定期券区間外の臨時乗車券も発行する。
【０００４】
一般的に、定期券を所持していない場合、行先まで往復するために臨時乗車は２回となることが多い。
【０００５】
しかし、臨時乗車券は、利用する都度発行する必要があるため利用者の手間が増える。
【０００６】
また、ＩＣカード定期券では複合券としてＳＦカード機能を有することが多いが、臨時乗車券では交通機関以外の販売店では物品購入には利用できない。
【０００７】
更に、発行される臨時乗車券と通常の乗車券とは、券の情報形式が異なり、臨時乗車券は、特殊な券の情報形式となる。このため、システムを導入するには自動改札機のような処理機にも特別な処理を追加する必要がある。
【０００８】
また、ＩＣカード定期券の紛失時に再発行を行うことがある。
【０００９】
これは、元のＩＣカード定期券の機能を、ＩＣカードの情報を管理するサーバに無効とする登録をして切り替えるものであり、再発行するＩＣカード定期券の媒体が新規に必要となるため媒体のコストを利用者が負担することとなる。
【先行技術文献】
【特許文献】
【００１０】
【特許文献１】特開２００８−９８８４号公報
【発明の概要】
【発明が解決しようとする課題】
【００１１】
本発明が解決しようとする課題は、定期券の利用者が定期券を所持していない場合にも、その定期券の機能を利用することを可能とする定期乗車券利用システム、券売装置及び定期乗車券利用方法を提供することである。
【課題を解決するための手段】
【００１２】
上記課題を達成するために、実施形態の定期乗車券利用システムは、定期券から施設を利用するための情報を入力する第１の入力手段と前記第１の入力手段で入力した情報をもとに前記定期券に施設を利用するための情報を送信する第１の送信手段とを有し、前記第１の入力手段で入力した前記定期券の情報により所定の施設利用を可能とする処理を行う駅務機器と、前記定期券の利用者を識別する識別情報と前記定期券により前記駅務機器を利用する情報とを受信する第１の受信手段を有し、前記第１の受信手段で受信した情報を関連付けて記憶する記憶手段と前記関連付けて記憶した情報を送信する第２の送信手段とを有する記憶装置と、前記記憶装置と接続され、前記識別情報を入力する第２の入力手段、前記第２の入力手段で入力した前記識別情報を前記記憶装置に送信する第３の送信手段及び前記記憶装置に記憶されている情報を受信する第２の受信手段とを有し、前記第２の受信手段により受信した情報により前記駅務機器を利用する情報を前記定期券の識別情報とは異なる識別情報が記録されている定期券に書き込み発行する発行手段と前記発行手段により発行した前記定期券を回収する回収手段とを有する券売装置と、を有する定期乗車券利用システム。
【００１３】
また、実施形態の定期乗車券利用方法は、駅務機器により、定期券から施設を利用するための情報を第１の入力手段で入力し、前記第１の入力手段で入力した情報をもとに前記定期券に施設を利用するための情報を第１の送信手段で送信し、前記第１の入力手段で入力した前記定期券の情報により所定の施設利用を可能とする処理を行い、記憶装置により、前記定期券の利用者を識別する識別情報と前記定期券により前記駅務機器を利用する情報とを第１の受信手段で受信し、前記第１の受信手段で受信した情報を関連付けて記憶手段で記憶し、前記関連付けて記憶した情報を第２の送信手段で送信し、券売装置により、前記識別情報を第２の入力手段で入力し、前記第２の入力手段で入力した前記識別情報を前記記憶装置に第３の送信手段で送信し、前記記憶装置に記憶されている情報を第２の受信手段で受信し前記第２の受信手段により受信した情報により前記駅務機器を利用する情報を前記定期券の識別情報とは異なる識別情報が記録されている定期券に発行手段で書き込み発行し、前記発行手段により発行した前記定期券を回収手段で回収する定期乗車券利用方法。
【図面の簡単な説明】
【００１４】
【図１】実施形態の定期乗車券利用システム構成図。
【図２】実施形態のＩＣカード定期券に記録されている情報のデータ構造を示す図。
【図３】実施形態の記憶装置のデータベースに記録されている情報のデータ構造を示す図。
【図４】実施形態の定期乗車券利用システムを利用した駅務システムを示す図。
【図５】実施形態の券売装置を示す図。
【図６】実施形態の改札装置を示す図。
【発明を実施するための形態】
【００１５】
以下、実施形態について図面を参照して説明する。
【００１６】
図１は、実施形態の定期乗車券利用システムの一例を示す図である。本実施形態では、駅務システム（鉄道システム）のハードウェア資源等を利用した定期乗車券利用システムの一例について説明する。
【００１７】
図１に示すように定期乗車券利用システムは、記憶装置１、通信回線２、券売装置３、改札装置５を備え、ＩＣカード定期券４（ＩＣカード定期乗車券、乗車カード等）で利用する。
【００１８】
定期乗車券利用システムは、最上位に記憶装置１（サーバ装置等）があり、その下には記憶装置１と通信回線２（例えば、公衆回線や専用回線等）を介して接続された券売装置３と改札装置５が配置される。
【００１９】
券売装置３は、券売機、定期券発行機及び窓口処理機等の発券（ＩＣカード（乗車券又は定期券）及び磁気定期券、磁気券等の発行）等の業務に用いる機器である。
【００２０】
改札装置５は、改札機等の出改札の業務に用いる機器である。
【００２１】
券売装置３と改札装置５は、例えば、駅サーバ（記憶装置１と駅等の業務に用いる機器との間で情報の中継を行うサーバ）とその駅サーバに接続された駅等で用いられる業務用機器であってもよい。
【００２２】
本実施形態では、各駅（Ａ駅とＢ駅）の施設等に券売装置３（例えば、券売機又は定期券発行機等）と改札装置５（例えば、自動改札機等の駅務機器）とを備えた定期乗車券利用システムについて説明するが、定期乗車券利用システムの構成はこれに限定されるものではない。
【００２３】
ＩＣカード定期券４は、図２に示すように、ＩＣカード（ＩＣチップ（集積回路の基板）を組み込んだカード）を用いて、そのＩＣカードに利用者の氏名、生年月日、年齢、住所、乗車区間、通用期間等の乗車券情報４１と、電子的なデータによる決済（例えば、ＩＣカードに運賃等を電子的なデータとして貯めておくストアードフェア（ｓｔｏｒｅｄ  ｆａｒｅ（ＳＦ））方式等を用いた決済）のための決済情報４２と、ＩＣカード識別情報４３とが記録された定期乗車券である。
【００２４】
本実施形態では、利用者が所有しているＩＣカード定期券４を所持していない場合（不携帯等の場合等）に臨時にＩＣカード定期券４’（以下、このＩＣカード定期券４’を「仮ＩＣカード定期券」と呼ぶ。）を発行し、後で回収を行う定期乗車券利用システムについて示す。
【００２５】
まず、利用者は、駅の鉄道会社が設置、営業する乗車券類発売所及び窓口等の券売装置３で利用者を識別する識別情報を示し、仮ＩＣカード定期券４’の発行の申請をして、仮ＩＣカード定期券４’の発行を行う。
【００２６】
仮ＩＣカード定期券４’は、利用者が所有しているＩＣカード定期券４と同等に近い機能を持つが、図３に示すように、記憶装置１のデータベース１１では、番号欄２の行と番号欄４の行とのデータのように利用者識別情報１１ｄは同一であるがＩＣカード識別情報１１ｃが異なるデータを設けることができる。
【００２７】
また、データベース１１の番号欄４の行のように仮ＩＣカード定期券４’に利用制限１１ｅ（例えば、仮ＩＣカード定期券４’に対する仮ＩＣカード定期券の発行を認めない制限（再仮発行否））を設けることができる。
【００２８】
券売装置３は、図５に示す構成のように、利用者又は窓口係員の操作により入力した情報をもとに、記憶部３ｅに保存されている所定の手順により中央処理部３ｄでの処理を行い券売を行う。
【００２９】
券売装置３は、利用者又は窓口係員の操作により利用者識別情報１１ｄ等の情報を入力する操作入力部３ｂと、券売の情報を表示する表示部３ｃを備えている。
【００３０】
券売装置３は、ＩＣカード定期券４及び仮ＩＣカード定期券４’の発行及び回収するＩＣカード乗車券挿入部３ｆを備えている。
【００３１】
券売装置３は、ＩＣカード定期券４及び仮ＩＣカード定期券４’に記録された情報の読み取り、又は、情報の記録を行うＩＣカード情報読取記録部３ｇを備えている。
【００３２】
券売装置３は、記憶部３ｅに保存されている所定の手順による中央処理部３ｄで処理を行い、記憶装置１と通信部３ａとで通信を行い、利用者識別情報１１ｄにより利用者の情報の確認を行い、不携帯のＩＣカード定期券４の機能を持つ仮ＩＣカード定期券４’の発行を行う。
【００３３】
また、券売装置３は、回収したＩＣカード定期券４と仮ＩＣカード定期券４’との情報を統合する場合は、記録されている情報の統合の可否を、通信部３ａからの通信により記憶装置１に問い合わせを行う。
【００３４】
次に、問い合わせに対する記憶装置１からの統合可否の回答により、ＩＣカード定期券４と仮ＩＣカード定期券４’とに記録されている情報の統合を、記憶部３ｅに保存されている所定の手順による中央処理部３ｄの処理により行う。
【００３５】
この処理は、利用者識別情報１１ｄが同一であるＩＣカード定期券４と仮ＩＣカード定期券４’の記憶部３ｅに記録されている情報（例えば、決済情報４２）の変更部分を統合し、ＩＣカード定期券４のＩＣカード情報読取記録部３ｇにより記憶部３ｅの情報を更新（記録）する。
【００３６】
券売装置３は、金銭の収支を示した明細書や領収書等の資料を印刷し出力する印刷部３ｈを備えている。
【００３７】
記憶装置１は、券売装置３及び改札装置５と通信回線２を介して接続され、通信を行い、図３に示すように、券売装置３で発行したＩＣカード定期券４及び仮ＩＣカード定期券４’に関する情報をデータベース１１で管理する。
【００３８】
また、記憶装置１は、券売装置３及び改札装置５からの情報の送信により、データベース１１にその情報を登録し、券売装置３からの要求に従い、券売装置３にデータベース１１に登録されている情報を送信（回答）する。
【００３９】
データベース１１は、乗車券情報１１ａ（乗車区間及び通用期間、利用者情報等）及び、ＳＦ方式等を用いた決済の決済情報１１ｂ、ＩＣカード識別情報１１ｃ、利用者識別情報１１ｄ、仮ＩＣカードの再仮発行等を制限する仮ＩＣカード利用制限１１ｅ、ＩＣカードの利用の制限を登録する利用制限登録１１ｆ、ＩＣカード定期券４と発行された仮ＩＣカード定期券４’との関連を示す仮ＩＣカード関連識別情報１１ｇ等の情報を記憶し、管理する。
【００４０】
改札装置５は、図６に示す構成のように、ＩＣカード定期券４及び仮ＩＣカード定期券４’の情報をもとに、記憶部５ｇに保存されている所定の手順による中央処理部５ｃでの処理により改札を行う。
【００４１】
改札装置５は、利用者のＩＣカード定期券４及び仮ＩＣカード定期券４’に記録されている情報（例えば、乗車券情報４１及び決済情報４２、ＩＣカード識別情報４３等）を読み取り入力する読取部５ｂと、入力した情報を表示する表示部５ｆを備えている。
【００４２】
改札装置５は、記憶部５ｇに保存されている所定の手順による中央処理部５ｃでの処理により、記憶装置１と通信部５ａとで通信を行うことにより、記憶装置１のデータベース１１に記録されている情報（例えば、乗車券情報１１ａ及び決済情報１１ｂ、ＩＣカード識別情報１１ｃ等）を記憶部５ｇに保存する。
【００４３】
改札装置５は、ＩＣカード定期券４及び仮ＩＣカード定期券４’から読み取った情報と改札装置５の記憶部５ｇに保存されている情報（例えば、記憶装置１のデータベース１１から通信を行って保存した乗車券情報１１ａ及び決済情報１１ｂ、ＩＣカード識別情報１１ｃ等）とを記憶部５ｇに保存されている所定の手順により中央処理部５ｃでの判定する。
【００４４】
この判定結果により、改札装置５は、通行管理部５ｄでの出改札や、記録部５ｅでのＩＣカード定期券４及び仮ＩＣカード定期券４’への情報の記録等の処理を行う。
【００４５】
また、通行管理部５ｄでは、中央処理部５ｃでの判定により、利用者の通路の通行を制限する機能の制御を行う。
【００４６】
定期乗車券利用システムを利用した駅務システムについて、図４の実施形態を参照して説明する。
【００４７】
本実施形態では、利用者がＩＣカード定期券７ａを購入する際に、利用者の申請により、サーバ装置７ｂ（記憶装置１）のデータベース７ｃには図３に示す情報が記録される。
【００４８】
利用者識別情報１１ｄとしては、利用者自身が定めたキーワードの情報や利用者の指紋認証による情報、静脈認証による情報、又はＩＣタグの情報等を使用してもよい。
【００４９】
本実施形態の駅務システムでは、例えば、駅等で利用者が所有しているＩＣカード定期券７ａを不携帯の場合に、駅等の券売機、定期券発行機及び窓口の駅係員が操作する窓口処理機（以降、券売機７ｄ（券売装置３）と示す）で仮ＩＣカード定期券７ｅの発行の申請を行う（ステップＳ１）。
【００５０】
利用者は、この仮ＩＣカード定期券７ｅの発行申請において、ＩＣカード定期券７ａを購入する際に申請した、利用者を識別する利用者識別情報１１ｄを示すことにより、サーバ装置７ｂへ利用者の本人確認を行う。
【００５１】
次に、サーバ装置７ｂは、利用者識別情報１１ｄの照合により利用者の認証を行い、利用者の本人確認がとれた場合に仮ＩＣカード定期券７ｅを発行する（ステップＳ２）。
【００５２】
仮ＩＣカード定期券７ｅの発行は、サーバ装置７ｂのＩＣカード定期券７ａの情報を申請元の券売機７ｄに送信し、その情報をもとに券売機７ｄが行う。また、この発行の際に、仮ＩＣカード定期券７ｅへＩＣカードの機能を限定する設定を行う。
【００５３】
例えば、仮ＩＣカード定期券７ｅの利用可能期間の限定（例えば、当日のみ利用可能等）、仮ＩＣカード定期券７ｅの発行時に物販利用制限の指定及び仮ＩＣカード定期券７ｅに対する仮ＩＣカード定期券７ｅの発行実施の可否等を行う。
【００５４】
発行した仮ＩＣカード定期券７ｅの情報（乗車券情報、電子的なデータによる決済の情報、仮ＩＣカードの識別情報、仮ＩＣカード定期券７ｅの利用者を識別する識別情報及び仮ＩＣカード定期券７ｅの利用を制限する登録）は、その仮ＩＣカード定期券７ｅの情報の元になったＩＣカード定期券７ａの情報と関連付けてサーバ装置７ｂのデータベース７ｃに記録して管理する。
【００５５】
次に、サーバ装置７ｂは、利用者から仮ＩＣカード定期券７ｅの発行申請がされ、利用者が所有している不携帯のＩＣカード定期券７ａが、仮ＩＣカード定期券７ｂの使用中に利用できないようにする利用制限登録１１ｆをデータベース７ｃに登録し、その登録を自動改札機及びＩＣカード定期券等のＳＦカードの機能により電子的なデータによる決済を行う機器等（以降、自動改札機７ｆ（改札装置５）と示す）に通知する（ステップＳ３）。
【００５６】
その登録が通知された自動改札機７ｆは、その通知された登録を記録し、不携帯のＩＣカード定期券７ａによる自動改札機７ｆの利用を禁止する。
【００５７】
これにより、不携帯のＩＣカード定期券７ａの不正な使用（例えば、不携帯のＩＣカード定期券７ａを所有する利用者以外のＩＣカード定期券７ａの使用）を禁止する。
【００５８】
次に、利用者が発行された仮ＩＣカード定期券７ｅを使用して自動改札機７ｆを利用する際に、自動改札機７ｆが仮ＩＣカード定期券７ｅに記録されている情報を読み取り、その読み取った情報と自動改札機７ｆの情報（例えば、乗車券情報１１ａ、決済情報１１ｂ、仮ＩＣカード定期券７ｅの識別情報１１ｃ及び不携帯のＩＣカード定期券７ａの登録等）とにより出改札や仮ＩＣカード定期券７ｅへの情報の記録等の処理を行う（ステップＳ４）。
【００５９】
例えば、仮ＩＣカード定期券７ｅの発行の際に、不携帯のＩＣカード定期券７ａの決済情報４２（例えば、ＩＣカードへのチャージ金額の残額５０００円）を仮ＩＣカード定期券７ｅへ記録した場合、自動改札機７ｆを利用する際に必要な利用費用（例えば、１０００円）を、仮ＩＣカード定期券７ｅに記録されている情報を読み取ることでＳＦカード機能により決済を行い、その決済の結果（例えば、チャージ金額の残額４０００円）を仮ＩＣカード定期券７ｅに記録することができる。
【００６０】
これらの処理により、利用者は仮ＩＣカード定期券７ｅを使用して自動改札機７ｆを利用することができる。
【００６１】
次に、利用者が申請により発行された仮ＩＣカード定期券７ｅを返却する場合は、券売機７ｄへＩＣカード定期券７ａとともに仮ＩＣカード定期券７ｅの返却を行う（ステップＳ５）。
【００６２】
券売機７ｄは、利用者から返却された２つのＩＣカード定期券の回収処理を行い、サーバ装置７ｂに対して利用者が不携帯だったＩＣカード定期券７ａへ仮ＩＣカード定期券７ｅに記録されている利用状況の情報（例えば、決済情報４２等）を統合するための問い合わせ（統合の可否の判断）を行う。
【００６３】
次に、サーバ装置７ｂは、統合の可否の問い合わせを行った券売機７ｄに対してデータベース７ｃに登録されているＩＣカード定期券７ａの利用の制限等から利用者が不携帯だったＩＣカード定期券７ａへ仮ＩＣカード定期券７ｅに記録されている利用状況の情報の統合の可否を判断して回答する。
【００６４】
サーバ装置７ｂから統合の可否について回答を受けた券売機７ｄは、その回答が可であれば、ＩＣカード定期券７ａの利用状況の情報を仮ＩＣカード定期券７ｅに記録されている利用状況の情報に書き換えることにより統合を行う。
【００６５】
その際に、仮ＩＣカード定期券７ｅに記録されている情報の利用を不可とする書き換えを行う（ステップＳ６）。
【００６６】
また、サーバ装置７ｂから券売機７ｄへの統合の可否について回答が否であれば、ＩＣカード定期券７ａと仮ＩＣカード定期券７ｅとの利用状況の情報を統合しない。
【００６７】
例えば、サーバ装置７ｂから券売機７ｄへの統合の可否の回答が可で、仮ＩＣカード定期券７ｅの利用状況の情報（例えば、決済情報４２（ＩＣカードへのチャージ金額の残額４０００円））とＩＣカード定期券７ａの利用状況の情報（例えば、決済情報４２（ＩＣカードへのチャージ金額の残額５０００円））とを統合する場合、ＩＣカード定期券７ａの利用状況の情報を仮ＩＣカード定期券７ｅの利用状況の情報（決済情報４２（ＩＣカードへのチャージ金額の残額４０００円））に書き換えることにより利用状況の情報を統合し、仮ＩＣカード定期券７ｅの利用状況の情報は利用できなくなるように書き換える（仮ＩＣカード定期券７ｅを使用不可にする）。
【００６８】
次に、サーバ装置７ｂは、利用者からの仮ＩＣカード定期券７ｅの返却により、券売機７ｄから仮ＩＣカード定期券７ｅに記録されている利用状況の情報を統合するための判断の問い合わせがあった場合、利用者が所有している不携帯であったＩＣカード定期券７ａの利用を可能とする登録をサーバ装置７ｂのデータベース７ｃに行う（ステップＳ７）。
【００６９】
その際に、仮ＩＣカード定期券７ｅに記録されている利用状況の情報と統合が可であれば、ＩＣカード定期券７ａの利用状況の情報を仮ＩＣカード定期券７ｅの利用状況の情報に更新（変更）する。
【００７０】
上記説明した定期乗車券利用システムの実施例によれば以下の作用効果を得ることができる。
【００７１】
（１）利用者が所有しているＩＣカード定期券４を不携帯（未所持）の場合に、交通機関の施設（駅やバス営業所及び案内所等）で不携帯のＩＣカード定期券４に近い機能又は、同じ効力を持つ仮ＩＣカード定期券４’（臨時に発行して後で回収するＩＣカード定期券）を発行することにより、利用者の交通機関利用時及びＩＣカード機能使用時の利便性を向上することができる。
【００７２】
例えば、ＩＣカード定期券４を所持していない場合において、臨時乗車券（臨時に発行される磁気乗車券）を発行する方法では、臨時乗車券は利用する都度発行する必要があるため乗車客の手間が増えることや、ＩＣカード定期券４は、複合券としてＳＦカード機能を有することが多いが、臨時乗車券は、交通機関以外の物品購入（ＩＣカード対応キャッシュレジスター（金銭登録機）の設置店での物品購入）には利用できないことなどが不便であるが、仮ＩＣカード定期券４’を発行することで、利用者の利便性を向上することができる。
【００７３】
また、ＩＣカード定期券４を再発行する方法では、不携帯（未所持）のＩＣカード定期券４の機能を記憶装置１から無効登録して切り替えるものであり、ＩＣカード定期券４のＩＣカード媒体が新規に必要となるためＩＣカード媒体の費用を利用者が負担することとなるが、仮ＩＣカード定期券４’を臨時に発行する方法では、使用後に利用者からの返却により、発行元がＩＣカード媒体を回収するためＩＣカード媒体の費用を利用者が負担することがない。
【００７４】
（２）利用者が、所有しているＩＣカード定期券４を不携帯（未所持）の場合に、交通機関の施設で不携帯のＩＣカード定期券４に近い機能又は、同じ効力を持つ仮ＩＣカード定期券４’を発行し、有効なＩＣカード定期券４を記憶装置１への登録により切り替えることで、利用者が従来のシステムを使用することができ利便性を向上することができる。
【００７５】
例えば、臨時乗車券（臨時に発行される磁気乗車券）を発行する方法では、発行される臨時乗車券は通常の乗車券（磁気乗車券及び磁気定期券）と異なり、定期券としての使用の可否を制御するため券面情報が特殊となる。
【００７６】
このため、自動改札機３のような駅等の駅務機器には、特別な処理を追加する必要があり、これにより従来のシステム使用することができないが、記憶装置１への登録によって有効なＩＣカード定期券４を切り替える方法では、利用者が従来のシステムを使用することができ利便性を向上することができる。
【００７７】
本実施形態では、駅務システム（鉄道システム）のハードウェア資源等を利用した定期乗車券利用システムの例を示したが、その他の実施形態として、バスの乗車カードを発行するためにバスの営業所及び案内所などに設置されたバスシステムのハードウェア資源等を利用したバスの定期乗車券利用システムや、鉄道・バス共通乗車カードのシステムであってもよい。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１…記憶装置、１１…データベース、２…通信回線、３…券売装置、４…ＩＣカード定期券、４’…仮ＩＣカード定期券、５…改札装置
【図１】
2013101439.tif 000003
【図２】
2013101439.tif 000004
【図３】
2013101439.tif 000005
【図４】
2013101439.tif 000006
【図５】
2013101439.tif 000007
【図６】
2013101439.tif 000008